(57)【要約】【課題】仕掛けの巻取り・巻出しが、誰でも簡単に、手軽に行え、電動リール（或いは手動リール）を活用でき、構成簡素で、取扱い易く、低廉で、一般的な（趣味の）釣り人でもイカ釣りを楽しめ、電動リールの駆動力だけで仕掛けの巻取り・巻出しがスムーズに行え、電動リールに付属の機能を、そのまま利用できるイカ釣り装置を提供する。【解決手段】フレーム枠体ＡとガイドプーリＢと回転ドラムＣと電動リールＤ（或いは手動リール）とを有し、回転ドラムＣは、仕掛け用ドラム部Ｃ１とリール用ドラム部Ｃ２とが併設状態で、仕掛け４の基端部分を仕掛け用ドラム部Ｃ１に取付け、リール用糸６の先端部分をリール用ドラム部Ｃ２に取付け、電動リールＤでリール用糸６を巻取ると、仕掛け４を仕掛け用ドラム部Ｃ１で巻取り、スプールをフリーにすると、仕掛け４を仕掛け用ドラム部Ｃ１から巻出し、リール用糸６をリール用ドラム部Ｃ２で巻取るよう構成する。【選択図】図２
0003155653.tif 000002
【実用新案登録請求の範囲】
【請求項１】
市販の電動リール或いは手動リールを利用することにより、イカヅノを備えたイカ釣り用の仕掛けが自在に巻取り・巻出しできるよう構成したイカ釣り装置であって、クランプを介して船縁に取付けられるフレーム枠体と、このフレーム枠体の先端部分に正逆回転自在に装着されると共に、仕掛けを海中に向って案内するガイドプーリと、フレーム枠体の基端部分に正逆回転自在に装着されると共に、仕掛けを巻取り・巻出し可能な回転ドラムと、フレーム枠体のリール装着部に着脱自在に装着される電動リール或いは手動リールとを有し、回転ドラムは、仕掛けの巻取り・巻出しを行う仕掛け用ドラム部と、電動リール或いは手動リールのリール用糸の巻取り・巻出しを行うリール用ドラム部とが併設状態となるよう形成され、仕掛け用ドラム部には、仕掛けの基端部分を取付け、リール用ドラム部には、リール用糸の先端部分を取付け、電動リール或いは手動リールのスプールでリール用糸を巻取ると、リール用ドラム部からリール用糸を巻出すと共に、回転ドラムを正回転せしめて、仕掛けを仕掛け用ドラム部で巻取れるように構成し、電動リール或いは手動リールのスプールをフリーにすると、錘によって仕掛けが仕掛け用ドラム部から巻出されると共に、回転ドラムが逆回転して、リール用糸をリール用ドラム部で巻取れるように構成したことを特徴とするイカ釣り装置。
【請求項２】
仕掛け用ドラム部とリール用ドラム部を同一大径に形成すると共に、一体的に形成したことを特徴とする請求項１記載のイカ釣り装置。
【考案の詳細な説明】
【技術分野】
【０００１】
本考案は、イカヅノを備えたイカ釣り用の仕掛けを自在に巻取り・巻出しできるように構成したイカ釣り装置に係り、特に、市販の電動リール（或いは手動リールでも良い）を利用して、仕掛けの巻取り・巻出しが誰でも簡単に且つ手軽に行え、しかも、取扱い易く、構成が簡素で、低廉に提供できるように工夫したイカ釣り装置に関するものである。
【背景技術】
【０００２】
従来、この種のイカ釣り装置としては、例えば、特許文献１に示すようなイカ釣り用立て縄装置が開示されている。
これは、船体側舷から外方へ船体の軸線に対して横切る方向に突出可能に支持された支持駆動軸に少なくとも一つの回転ドラムを設け、各回転ドラムの下方にはイカ受け台を設け、間隔を置いて多数の釣針を装着した釣糸を各回転ドラムにより巻き上げ、繰出しするように構成したものである。
しかも、回転ドラムは専用の駆動装置によって回転するように構成されている。
【先行技術文献】
【特許文献】
【０００３】
【特許文献１】実開平５−３４８７２号公報
【考案の概要】
【考案が解決しようとする課題】
【０００４】
ところが、前述の如きイカ釣り用立て縄装置にあっては、漁業を生業としている者が利用するのには適しているが、装置自体が大掛りとなっていると共に高価であり、一般的な（趣味の）釣り人が利用するイカ釣り装置としては、全く適さないものであった。
【０００５】
そこで、本考案は、一般的な（趣味の）釣り人でもイカ釣りが楽しめるようにすべく、市販の電動リール（或いは手動リール）を活用して、イカ釣り用の仕掛けの巻取り・巻出しが誰でも簡単に且つ手軽に行え、しかも、取扱い易く、構成が簡素で、低廉に提供できるように案出されたものである。
【課題を解決するための手段】
【０００６】
しかして、前述の如き課題を達成できるようにすべく、請求項１記載のイカ釣り装置にあっては、市販の電動リールＤ或いは手動リールを利用することにより、イカヅノ５を備えたイカ釣り用の仕掛け４が自在に巻取り・巻出しできるよう構成したイカ釣り装置であって、クランプ２を介して船縁に取付けられるフレーム枠体Ａと、このフレーム枠体Ａの先端部分に正逆回転自在に装着されると共に、仕掛け４を海中に向って案内するガイドプーリＢと、フレーム枠体Ａの基端部分に正逆回転自在に装着されると共に、仕掛け４を巻取り・巻出し可能な回転ドラムＣと、フレーム枠体Ａのリール装着部１に着脱自在に装着される電動リールＤ或いは手動リールとを有し、回転ドラムＣは、仕掛け４の巻取り・巻出しを行う仕掛け用ドラム部Ｃ１と、電動リールＤ或いは手動リールのリール用糸６の巻取り・巻出しを行うリール用ドラム部Ｃ２とが併設状態となるよう形成され、仕掛け用ドラム部Ｃ１には、仕掛け４の基端部分を取付け、リール用ドラム部Ｃ２には、リール用糸６の先端部分を取付け、電動リールＤ或いは手動リールのスプールでリール用糸６を巻取ると、リール用ドラム部Ｃ２からリール用糸６を巻出すと共に、回転ドラムＣを正回転せしめて、仕掛け４を仕掛け用ドラム部Ｃ１で巻取れるように構成し、電動リールＤ或いは手動リールのスプールをフリーにすると、錘によって仕掛け４が仕掛け用ドラム部Ｃ１から巻出されると共に、回転ドラムＣが逆回転して、リール用糸６をリール用ドラム部Ｃ２で巻取れるように構成する手段を採用した。
【０００７】
また、請求項２記載のイカ釣り装置にあっては、仕掛け用ドラム部Ｃ１とリール用ドラム部Ｃ２を同一大径に形成すると共に、一体的に形成する手段を採用した。
【考案の効果】
【０００８】
従って、請求項１記載のイカ釣り装置によれば、イカヅノ５を備えたイカ釣り用の仕掛け４の巻取り・巻出しが、誰でも簡単に且つ手軽に行えるようになる。
しかも、市販の電動リールＤ或いは手動リールを活用できることと、イカ釣り装置自体の構成が簡素となることとにより、取扱い易く、低廉に提供でき、一般的な（趣味の）釣り人でもイカ釣りを手軽に楽しめるようになる。
【０００９】
特に、回転ドラムＣは、仕掛け４の巻取り・巻出しを行う仕掛け用ドラム部Ｃ１と、電動リールＤ或いは手動リールのリール用糸６の巻取り・巻出しを行うリール用ドラム部Ｃ２とが併設状態となるよう形成され、仕掛け用ドラム部Ｃ１には、仕掛け４の基端部分を取付け、リール用ドラム部Ｃ２には、リール用糸６の先端部分を取付け、電動リールＤ或いは手動リールのスプールでリール用糸６を巻取ると、リール用ドラム部Ｃ２からリール用糸６を巻出すと共に、回転ドラムＣを正回転せしめて、仕掛け４を仕掛け用ドラム部Ｃ１で巻取れるように構成し、電動リールＤ或いは手動リールのスプールをフリーにすると、錘によって仕掛け４が仕掛け用ドラム部Ｃ１から巻出されると共に、回転ドラムＣが逆回転して、リール用糸６をリール用ドラム部Ｃ２で巻取れるように構成したので、電動リールＤ或いは手動リールの駆動力だけで仕掛け４の巻取り・巻出しがスムーズに行えるようになり、しかも、電動リールＤ或いは手動リールに付属の機能（例えば、リール用糸６の巻取りスピードの調節や、リール用糸６の巻出し量の表示等）を、そのまま利用できるようになる。
【００１０】
加えて、ガイドプーリＢによって仕掛け４を海中に向ってスムーズに案内できるようになり、フレーム枠体Ａのリール装着部１によって、電動リールＤ或いは手動リールを簡単に且つ安定的に装着できるようになると共に、操作し易い所望の位置に電動リールＤ或いは手動リールを配置することが可能となる。しかも、フレーム枠体Ａはクランプ２によって船縁に簡単に且つ確実に固定できるようになる。
【００１１】
また、請求項２記載のイカ釣り装置によれば、仕掛け用ドラム部Ｃ１とリール用ドラム部Ｃ２を同一径としたので、電動リールＤ或いは手動リールでのリール用糸６の巻取り・巻出し速度及び巻取り・巻出し量と、仕掛け４の仕掛け用ドラム部Ｃ１での巻取り・巻出し速度及び巻取り・巻出し量とを揃えることができるようになる。ひいては、電動リールＤ或いは手動リールに付属の機能（例えば、リール用糸６の巻取りスピードの調節や、リール用糸６の巻出し量の表示等）が、そのまま仕掛け４の巻取り・巻出し動作に一致するようになる。
更に、仕掛け用ドラム部Ｃ１とリール用ドラム部Ｃ２を一体的に形成したので、回転ドラムＣ自体の構成がより簡素となり、更に、大径にしたので、イカヅノ５を備えた仕掛け４の仕掛け用ドラム部Ｃ１への巻取り・巻出しがスムーズに行えるようになる。
【図面の簡単な説明】
【００１２】
【図１】本考案のイカ釣り装置を例示する側面図である。
【図２】本考案のイカ釣り装置を例示する平面図である。
【考案を実施するための形態】
【００１３】
以下、本考案を図示例に基づいて説明すると、次の通りである。
本考案は、主に、一般的な（趣味の）釣り人が利用できるイカ釣り装置であって、市販の電動リールＤ（或いは手動リール）を利用して、イカヅノ５を備えたイカ釣り用の仕掛け４を自在に巻取り・巻出しできるように構成したものである。
具体的には、クランプ２を介して船縁に取付けられるフレーム枠体Ａと、このフレーム枠体Ａの先端部分に正逆回転自在に装着されると共に、仕掛け４を海中に向って案内するガイドプーリＢと、フレーム枠体Ａの基端部分に正逆回転自在に装着されると共に、仕掛け４を巻取り・巻出し可能な回転ドラムＣと、フレーム枠体Ａのリール装着部１に着脱自在に装着される電動リールＤ（或いは手動リール）とを有するものである。
そして、回転ドラムＣは、仕掛け４の巻取り・巻出しを行う仕掛け用ドラム部Ｃ１と、電動リールＤ（或いは手動リール）のリール用糸６の巻取り・巻出しを行うリール用ドラム部Ｃ２とが併設状態となるよう形成され、仕掛け用ドラム部Ｃ１には、仕掛け４の基端部分を取付け、リール用ドラム部Ｃ２には、リール用糸６の先端部分を取付けたものである。
しかも、電動リールＤ（或いは手動リール）のスプールでリール用糸６を巻取ると、リール用ドラム部Ｃ２からリール用糸６を巻出すと共に、回転ドラムＣを正回転せしめて、仕掛け４を仕掛け用ドラム部Ｃ１で巻取れるように構成し、電動リールＤ（或いは手動リール）のスプールをフリーにすると、錘に作用する重力によって仕掛け４が仕掛け用ドラム部Ｃ１から巻出されると共に、回転ドラムＣが逆回転して、リール用糸６をリール用ドラム部Ｃ２で巻取れるように構成したものである。
【実施例】
【００１４】
前記フレーム枠体Ａは、例えば、アルミやステンレス等の軽量で耐食性の優れた適宜金属材や、適宜合成樹脂材や、適宜複合材等によって形成され、適宜クランプ２によって船縁等に安定的に固定できるよう構成されている。
しかも、フレーム枠体Ａの先端部分は、船縁外方に大きく突出すると共に、ガイドプーリＢを安定的に且つスムーズに正逆回転せしめられるよう形成され、フレーム枠体Ａの基端部分は、船縁内側に位置すると共に、回転ドラムＣを安定的に且つスムーズに正逆回転せしめられるよう形成されている。
更に、フレーム枠体Ａの基端部分には、電動リールＤ（或いは手動リール）を安定的に且つ簡単に取付け、取外しできるようなリール装着部１が形成されている。
尚、クランプ２は、フレーム枠体Ａに一体的に連設したものであっても良いし、或いはフレーム枠体Ａとは別体に構成されたものでも良い。
【００１５】
前記ガイドプーリＢは、例えば、適宜合成樹脂材や、適宜金属材や、適宜複合材等によって中空鼓状に形成されており、しかも、比較的大径に形成されて、イカヅノ５を備えた仕掛け４を海面に向ってスムーズに案内できるように構成されている。
【００１６】
前記回転ドラムＣは、例えば、適宜合成樹脂材や、適宜金属材や、適宜複合材等によって中空円柱状に形成されており、その他方の側部寄りに円環状の仕切板３が配設されている。すなわち、仕切板３を境として一方の側部がわ部分が幅広な仕掛け用ドラム部Ｃ１となり、仕切板３を境として他方の側部がわ部分が幅狭なリール用ドラム部Ｃ２となっている。尚、回転ドラムＣの両側部には、仕切円板が夫々固定されている。
そして、仕掛け用ドラム部Ｃ１には、仕掛け４の基端部分が適宜手段によって固定され、リール用ドラム部Ｃ２には、リール用糸６の先端部分が適宜手段によって固定されている。
【００１７】
尚、図示例の回転ドラムＣは、仕掛け用ドラム部Ｃ１とリール用ドラム部Ｃ２を同一大径に形成すると共に、一体的に形成してあるが、仕掛け用ドラム部Ｃ１とリール用ドラム部Ｃ２の径を変えて、電動リールＤ（或いは手動リール）に対する仕掛け４の巻取りトルクや巻取りスピードを変更したり、仕掛け用ドラム部Ｃ１とリール用ドラム部Ｃ２とを別体とすると共に、仕掛け用ドラム部Ｃ１とリール用ドラム部Ｃ２との間に適宜連繋手段を設けて、相互の速度比等を変更できるように構成することもできる。
【００１８】
前記電動リールＤ（或いは手動リール）は、例えば、市販されているものが利用でき、どのようなものであってもそのまま使用することができる。また、付属の機能（例えば、リール用糸６の巻取りスピードの調節や、リール用糸６の巻出し量の表示等）を備えていれば、これをそのまま仕掛け４の巻取り・巻出し動作に利用することができる。
そして、電動リールＤは、その手動のハンドルを利用して、仕掛け４の巻取り・巻出しを行っても良いし、手動リールは、そのハンドルだけで仕掛け４の巻取り・巻出しを行う。尚、手動リールは、例えば、両軸受けタイプのものが利用される。
【００１９】
ところで、イカ釣り装置の具体的構成、形状、寸法、材質、フレーム枠体Ａの具体的構成、形状、寸法、材質、ガイドプーリＢの具体的構成、形状、寸法、材質、配設位置、回転ドラムＣの具体的構成、形状、寸法、材質、配設位置、電動リールＤ（或いは手動リール）の具体的構成、形状、寸法、配設位置、リール装着部１の具体的構成、形状、寸法、配設位置、クランプ２の具体的構成、形状、寸法、材質、数、配設位置、仕切板３の具体的構成、形状、寸法、材質、配設位置、仕掛け４の具体的構成、材質、イカヅノ５の具体的構成、形状、寸法、材質、数、配設位置、数、リール用糸６の具体的材質、寸法等は図示例のものなどに限定されることなく適宜自由に設定、変更できるものである。
【００２０】
本考案のイカ釣り装置は、前述の如く構成されており、これを使用するときには、先ず、フレーム枠体Ａをクランプ２によって船縁の所望位置に固定し、リール装着部１に電動リールＤ（或いは手動リール）を装着する。それから、イカヅノ５を有する仕掛け４の基端部分を仕掛け用ドラム部Ｃ１に固定すると共に、仕掛け４を仕掛け用ドラム部Ｃ１に巻取っておき、次に、電動リールＤ（或いは手動リール）のリール用糸６の先端部分をリール用ドラム部Ｃ２に固定する。
そして、電動リールＤ（或いは手動リール）のスプールをフリーにすると、仕掛け４の先端に固定した錘によって、仕掛け４が仕掛け用ドラム部Ｃ１から巻出されて回転ドラムＣが逆回転する。このとき、リール用糸６が、電動リールＤ（或いは手動リール）のスプールから巻出されると共に、リール用ドラム部Ｃ２に巻取られるようになる。
また、電動リールＤ（或いは手動リール）を作動してスプールを駆動回転させると、リール用糸６がスプールに巻取られる。このとき、リール用ドラム部Ｃ２からリール用糸６が巻出されると共に、回転ドラムＣを正回転させる。そして、仕掛け４が仕掛け用ドラム部Ｃ１に巻取られるようになる。
【産業上の利用可能性】
【００２１】
しかして、本考案のイカ釣り装置は、イカ釣り用の仕掛け４の巻取り・巻出しが、誰でも簡単に且つ手軽に行え、しかも、市販の電動リールＤ（或いは手動リール）を活用でき、構成簡素で、取扱い易く、低廉で、一般的な（趣味の）釣り人がイカ釣りを手軽に楽しめるものとなる。
【符号の説明】
【００２２】
Ａ      フレーム枠体
Ｂ      ガイドプーリ
Ｃ      回転ドラム
Ｃ１    仕掛け用ドラム部
Ｃ２    リール用ドラム部
Ｄ      電動リール
１      リール装着部
２      クランプ
３      仕切板
４      仕掛け
５      イカヅノ
６      リール用糸
【図１】
0003155653.tif 000003
【図２】
0003155653.tif 000004